(57)【特許請求の範囲】
【請求項１】
遊技機枠体の外枠に片開き可能に取付けられる額縁状の前枠と、
前記前枠の裏面側に固定されるリアプレートと、
前記前枠の横前側に片開き可能に取付けられる上皿装置と、
前記前枠に取付けられ、前記上皿装置に払出された球が溢れたときに当該溢れた球が誘導される球受入口を有する下皿装置と、
前記リアプレートにおける前記上皿装置と対応する前側面に装着されるフロントプレートと、
前記フロントプレートに設けられるスピーカユニットとを備える遊技音響装置であって、
前記上皿装置は、ステンレス板の裏側面に形成され前記スピーカユニットの前側音出口に接続する音通路口を有し、
前記リアプレートは、前記スピーカユニットの後側音出口を覆うステンレス網で形成される放音孔と、
前記後側音出口から後側に放出された音を前記球受入口から遊技機の前側に放出するバックロードホーンとを備え、
前記バックロードホーンは、
前記リアプレートの裏側に装着され、前記放音孔と対応するバックロード用溝を備える音樋と、
当該音樋の裏側に結合され、前記溢れた球を前記球受入口に誘導するオーバーフロー球通路を有する球樋とにより形成され、
前記後側音出口から放出された音が前記バックロード用溝及びオーバーフロー球通路を経由して前記球受入口から遊技機の前側に放出されることを特徴とする遊技音響装置。
【請求項２】
前記スピーカユニットがバックロードの長さで決まる再生共振周波数の音を出力することを特徴とする請求項１記載の遊技音響装置。
【請求項３】
前記スピーカユニットが遊技機枠体に設けられたスピーカ取付部に嵌め合いで取付けられたことを特徴とする請求項１記載の遊技音響装置。
【発明の詳細な説明】
【０００１】
【発明の属する技術分野】
本発明は、パチンコ機やスロットマシン等の遊技機に用いられる遊技音響装置に関する。
【０００２】
【従来の技術】
図６は特開平１０−１３７３９４号公報で開示された遊技音響装置を示す。図６において、１０１は下皿装置、１０２は下皿装置１０１の球受入口、１０３は球受入口１０２よりも上方に設けられたカバー、１０４はカバー１０３に形成されたスリット、１０５はカバー１０３の裏側に配置されたバスレフ形のスピーカハウジング、１０６はスピーカハウジング１０５に内蔵された低音用のスピーカである。そして、スピーカ１０６の音がスリット１０４を通過して前側に放出される。
【０００３】
【発明が解決しようとする課題】
しかし、前記従来例はスピーカ１０６の音が下皿装置１０１の上から前側に出る構造つまりスピーカ１０６の音を下皿装置１０１の設けられた遊技機枠体の前側に放出する構造である。このため、聴感上の音圧を高くして迫力の有る音を出すには大きい容量のスピーカボックスや大きい口径のスピーカを用いる必要があるが、係るスピーカボックスやスピーカは遊技機枠体の裏側から前側への賞球或いは貸球等の球払出系統や遊技機枠体の裏側から前側に設けられた電気部品への配線系統等における部品配置の関係からにわかに採用しがたいものである。
【０００４】
そこで、本発明は、スピーカボックスや低音用のスピーカを大型にしなくても迫力の有る音を再生することができる遊技音響装置を提供するものである。
【０００５】
本発明にあっては、遊技機枠体の外枠に片開き可能に取付けられる額縁状の前枠と、前枠の裏面側に固定されるリアプレートと、前枠の横前側に片開き可能に取付けられる上皿装置と、前枠に取付けられ、上皿装置に払出された球が溢れたときに当該溢れた球が誘導される球受入口を有する下皿装置と、リアプレートにおける上皿装置と対応する前側面に装着されるフロントプレートと、フロントプレートに設けられるスピーカユニットとを備える遊技音響装置であって、上皿装置は、ステンレス板の裏側面に形成されスピーカユニットの前側音出口に接続する音通路口を有し、リアプレートは、スピーカユニットの後側音出口を覆うステンレス網で形成される放音孔と、後側音出口から後側に放出された音を球受入口から遊技機の前側に放出するバックロードホーンとを備え、バックロードホーンは、リアプレートの裏側に装着され、放音孔と対応するバックロード用溝を備える音樋と、当該音樋の裏側に結合され、溢れた球を球受入口に誘導するオーバーフロー球通路を有する球樋とにより形成され、後側音出口から放出された音がバックロード用溝及びオーバーフロー球通路を経由して球受入口から遊技機の前側に放出されることを特徴とする。よって、本発明によれば、背面側の音をバックロードホーンで遊技機枠体の前側に導き放出するので、このバックロードホーンを経由しスピーカユニットの背面側から遊技機枠体の前側に放出された音とスピーカユニットの前面側から遊技機枠体の前側に放出された音との相乗効果により、スピーカボックスや低音用のスピーカを大型化にしなくても、聴感上の音圧を高くして迫力の有る音を再生することができる。又、本発明にあっては、スピーカユニットがバックロードの長さで決まる再生共振周波数の音を出力すれば、特定な音程の低音を特に強調することができる。又、本発明にあっては、スピーカユニットが遊技機枠体に設けられたスピーカ取付部に嵌め合いで取付けられれば、スピーカユニットの取付けや交換が容易である。
【０００６】
【発明の実施の形態】
図１〜図３は本発明の第１実施形態であって、図１は遊技音響装置を横方向に切断した断面を示し、図２は遊技音響装置を分解して示し、図３は遊技音響装置の全体を示す。
【０００７】
図３を参照し、遊技機枠体１について説明する。遊技機枠体１はパチンコ店の島に固定される額縁状の外枠２に額縁状の前枠３を横前側に片開き可能に取付け、前枠３の裏側面にリアプレート４を固定し、リアプレート４の上皿装置５と対応する前側面にフロントプレート６を備え、フロントプレート６にスピーカユニット７や球発射機構８等の機能部品を備え、リアプレート４の裏側面にリアプレート４との協同により後側音通路３９（図１参照）を形成する音樋９を固定し、音樋９の裏側面に音樋９との協同によりオーバーフロー球通路４０（図１参照）を形成する球樋１０を固定する。オーバーフロー球通路４０はリアプレート４に取付けられた図外の球払出機構より上皿装置５に払出された球が上皿装置５の球受樋１１より溢れた場合に、当該溢れた球を下皿装置１２の球受入口１３に誘導する通路である。
【０００８】
前枠３は、中央開口を囲む周縁前側に枠支持体１５を固定し、当該枠支持体１５にパネル枠１６及び上皿装置５を横前側に片開き可能に備え、フロントプレート６に設けられたスピーカユニット７や球発射機構８等の機能部品よりも前側に位置する前側面に下皿装置１２と球発射機構８を駆動するハンドルグリップ１９とを備える。パネル枠１６は無色のような光透過性を有する合成樹脂又はガラスよりなるパネル１７を備える。前枠３の上部には左右上放音部６５；６６が左右に分離して設けられる。
【０００９】
遊技機枠体１の裏側に設けられる制御装置３２の音量出力は配線６７；６８；６９で左右中高音用のスピーカ７０；７１及び低音用のスピーカ３５に個別に出力される。左中高音用のスピーカ７０は左上放音部６５より音を遊技機枠体１の前側に出すように左上放音部６５に対応して前枠３に設けられ、右中高音用のスピーカ７１は右上放音部６６より音を遊技機枠体１の前側に出すように右上放音部６６に対応して前枠３に設けられる。制御装置３２は音源７２に音量調整部７３及び電力増幅部７４よりなる中高音系統、音合成部７５とローパスフィルタ７６と音量調整部７７及び電力増幅部７８よりなる低音系統それぞれを接続した形態である。中高音系統の電力増幅部７４には左右中高音用のスピーカ７０；７１を配線６７；６８で個別に接続し、低音系統の電力増幅部７８には低音用のスピーカ３５を配線６９で接続する。そして、音源７２が遊技の進行に伴う駆動信号に応じた音データより音声アナログ信号をステレオ信号として生成して出力し、中高音系統が音源７２からのステレオ信号を左右中高音用のスピーカ７０；７１に出力し、低音系統が音源７２からのステレオ信号を低音用のスピーカ３５に出力する。低音系統では音合成部７５が音源７２からの左右のステレオ信号を合成してモノフォニック信号として出力し、ローパスフィルタ７６が必要低域成分のみを通過させる。この必要低域成分が音量調整部７７及び電力増幅部７８を経由し低音用のスピーカ３５に出力される。
【００１０】
パネル枠１６と上皿装置５とを開いた状態において、図外の遊技盤を前枠３に前側より挿入してフロントプレート６に搭載すると共にリアプレート４に装着する。そして、パネル枠１６及び上皿装置５を閉じて枠支持体１５にロックすると、パネル１７が遊技盤の前側を覆い、遊技者がパネル枠１６を前側から見ると、遊技盤に設けられたガイドレールで囲まれた遊技領域、図柄表示装置、左右表示灯、賞球表示灯、完了表示灯、入賞口装置、始動入賞口装置、変動入賞口装置、アウト口等の機能部品を視認し得る。又、上皿装置５がフロントプレート６に設けられた球発射機構８やスピーカユニット７等の機能部品を覆い、フロントプレート６に設けられた機能部品が前側から見えなくなると共に、上皿装置５のステンレス板の裏側面に形成された音通路口１８とスピーカユニット７の前側音出口３６とが互いに接続し、上皿装置５より裏側に突出した球受樋１１がリアプレート４に形成された逃孔２３に挿入される。
【００１１】
図２を参照し、音響装置におけるスピーカユニット７から出力された音をリアプレート４の裏側を経由して図３の下皿装置１２の球受入口１３より放出する構成部品について説明する。リアプレート４はステンレス網で覆われた放音孔２０とファール球通路２１とアウト球通路２２と逃孔２３とを備える。フロントプレート６はスピーカ取付部２５とファール球受取口２６とアウト球受取口２７と球発射機構８とを備える。スピーカ取付部２５は前側面より内部に窪む形態であって、後壁に形成された音通路孔２８と、左右側壁部に形成されたユニット挿入溝２９と、ユニット挿入溝２９に連なるユニット取付溝３０とを備える。ユニット取付溝３０は中間に凹状の係合部３１を有する。
【００１２】
スピーカユニット７は合成樹脂よりなる箱型のハウジング３４に低音用のスピーカ３５を内蔵し、ハウジング３４に前側音出口３６と図１に示す後側音出口３７とを形成し、ハウジング３４の左右側壁に取付脚部３８ａを突出する。取付脚部３８ａは前面に凸状の係合部３８ｂを有する。スピーカ３５は前側の音と後側の音とが互いに干渉しないようにハウジング３４に組付けられる。そして、取付脚部３８ａをスピーカ取付部２５の前側よりユニット挿入溝２９に挿入した後にユニット取付溝３０に下方へと押込むことにより、取付脚部３８ａの係合部３１とユニット取付溝３０の係合部３８ｂとが互いに係合し、スピーカユニット７がスピーカ取付部２５に取付けられる。フロントプレート６がリアプレート４の前側に装着されることにより、音通路孔２８と放音孔２０とが対応し、ファール球受取口２６とファール球通路２１とが対応し、アウト球受取口２７とアウト球通路２２とが対応する。
【００１３】
音樋９は前側に球受樋取込孔４２とバックロード用溝４３とファール球用溝４４とを備え、裏側にオーバーフロー球取入口４５を備える。そして、音樋９がリアプレート４の裏側に装着されることにより、球受樋取込孔４２と逃孔２３とが対応し、バックロード用溝４３と放音孔２０とが対応し、ファール球用溝４４とファール球通路２１とが対応し、リアプレート４とバックロード用溝４３とが図１に示すように後側音通路３９を形成し、リアプレート４とファール球用溝４４とがファール球誘導路を形成する。
【００１４】
球樋１０は前側にオーバーフロー用溝４７とオーバーフロー用溝４７内に装着されたオーバーフロー球検出機構４８とオーバーフロー球取入口４９とを備える。そして、球樋１０が音樋９とが互いに結合されることにより、球受樋取込孔４２に連なる図１に示すオーバーフロー球通路４０を形成する。
【００１５】
流しセット５０はリアプレート４の下部裏側面及び図１の前枠３の下部裏側面に跨って取付けられる合成樹脂よりなる上側開口状の箱型部品であって、前枠３に形成された図外の貫通孔を介して下皿装置１２の球受入口１３と対応する球出口５１を備える。そして、流しセット５０がリアプレート４及び前枠３に取付けられることにより、流しセット５０の上側開口５２が後側音通路３９とリアプレート４とファール球用溝４４とよりなるファール球誘導路及びオーバーフロー球通路４０と対応する。
【００１６】
図１を参照し、上皿装置５を閉じた場合におけるスピーカユニット７周りの構造について説明する。上皿装置５は内部に音通路５５を隔壁５６で図３の球貯蔵室５７と区分しかつスピーカユニット７と対応する位置に備え、前壁及び底壁に放音口５８を備える。そして、前枠３の前側に上皿装置５及び下皿装置１２を取付け、リアプレート４の前側にフロントプレート６を装着し、フロントプレート６にスピーカユニット７を取付け、リアプレート４の裏側に音樋９と球樋１０及び流しセット５０を装着することにより、スピーカユニット７のスピーカ３５より前側に放出された音は矢印Ｘ１で示すようにスピーカユニット７の前側音出口３６と上皿装置５の図１に示す音通路口１８及び音通路５５を経由して上皿装置５の放音口５８より遊技機の前側に放出される。
【００１７】
又、後側音出口３７と後側音通路３９とオーバーフロー球通路４０の音出口が音漏れしないように接続されたバックロードホーンＡを形成するので、スピーカユニット７のスピーカ３５より後側に放出された音はバックロードホーンＡの内部を矢印Ｘ２で示すように経由して下皿装置１２の球受入口１３より遊技機の前側に放出される。この球受入口１３より出る音はオーバーフロー球通路４０や図２のファール球受取口２６より流しセット５０を経由して球受入口１３に排出される球との共演で遊技を盛上げることができる。一点鎖線Ｌは左右の断面が上下に異なることを表すものであって、具体的には、一点鎖線Ｌよりも左側はスピーカユニット７を中心とした横断面を示し、一点鎖線Ｌよりも右側は下皿装置１２を中心とした横断面を示す。又、前枠３の左右端部で仮想線で示した部材は合成樹脂よりなる前飾り６０である。又、既存のオーバーフロー球通路４０をバックロードホーンＡに利用した簡単な構造である。
【００１８】
スピーカユニット７のスピーカ３５がバックロードホーンＡの長さ例えば後側音出口３７から後側音通路３９のオーバーフロー球通路４０との接続部分までの長さで決まる再生共振周波数の音を出せば、特定の音程の低音を特に強調することができる。
【００１９】
スピーカユニット７の前側音出口３６が上皿装置５のステンレス板に形成された音通路口１８で覆われ、スピーカユニット７の後側音出口３７がステンレス網で形成された放音孔２０で覆われているので、上皿装置５の放音口５８よりピアノ線のような不正部材を挿入して裏側の機構を操作する不正行為を防止することができる。
【００２０】
図４及び図５は本発明の第２実施形態であって、図４は遊技音響装置の組付けられた遊技機枠体１の正面を示し、図５は図４をＡ−Ａ線に沿い切断した断面を示す。図４及び図５において、上皿装置５の裏側で前枠３のフロントプレート６に装着されたスピーカユニット７に設けられたバックロードホーンＢを上皿装置５に設けられた放音口８０に接続し、スピーカユニット７の低音用のスピーカ３５における前側の音を上皿装置５の放音口５８より放出し、スピーカ３５における後側の音をバックロードホーンＢを経由して下皿装置１２の放音口８０より放出する。又、第１実施形態に球受入口１３に比べ、放音口８０が遊技者に指向しているので、低音の迫力が増加する。
【図面の簡単な説明】
【図１】  本発明の第１実施形態の遊技音響装置を示す横断面図。
【図２】  同第１実施形態の遊技音響装置を示す分解斜視図。
【図３】  同第１実施形態の遊技音響装置の全体を示す模式図。
【図４】  本発明の第２実施形態の遊技機枠体を示す正面図。
【図５】  図４のＡ−Ａ線断面図。
【図６】  従来例を示す断面図。
【符号の説明】
１  遊技機枠体
７  スピーカユニット
１２  下皿装置
１３  球受入口
３７  後側音出口
３９  後側音通路
４０  オーバーフロー球通路
５１  球出口
Ａ；Ｂ  バックロードホーン
【図１】
0004540835.tif 000002
【図２】
0004540835.tif 000003
【図３】
0004540835.tif 000004
【図４】
0004540835.tif 000005
【図５】
0004540835.tif 000006
【図６】
0004540835.tif 000007